(57)【要約】      （修正有）【課題】  筒状の燃料電池セルの温度分布を均一化することにより、複数の燃料電池セルが効率良く発電でき、実用的で安全かつ高効率な燃料電池を提供する。【解決手段】  複数の筒状の燃料電池セル１を備えてなる燃料電池において、前記燃料電池セルの露出面３を燃料ガス排出側１７に形成することで、燃料ガス排出側では燃料ガス速度が遅くなり、単位時間当たりの燃料電池セルへの熱伝達量を増加できる。これによって、燃料電池セルの燃料ガス排出側の温度低下を抑制でき、燃料電池セルの軸方向における温度分布のバラツキを少なくすることが可能になる。【選択図】  図１
2006066387.tif 000002
【特許請求の範囲】
【請求項１】
複数の筒状の燃料電池セルと、前記燃料電池セルの軸方向に沿って電気的な直列方向を接続する導電部材と、前記燃料電池セルの周囲へ燃料ガスを流す燃料ガス流路と、を備えてなる燃料電池であって、燃料ガス排出側に前記燃料電池セルの露出面を形成していることを特徴とする燃料電池。
【請求項２】
前記露出面を燃料ガス供給側に備えていることを特徴とする請求項１に記載の燃料電池。
【請求項３】
燃料ガス供給側より燃料ガス排出側が大きい前記燃料ガス流路を形成していることを特徴とする請求項１または２に記載の燃料電池。
【請求項４】
燃料ガス供給側において複数の前記燃料電池セルの中央部へメタン系炭化水素を含む燃料ガスが運転中に増加させる流量制御部を備えていることを特徴とする請求項１〜３のいずれか１項に記載の燃料電池。
【請求項５】
複数の前記燃料電池セルの外周部より中央部へ供給する燃料ガスの温度を低下させる温度制御部を備えていることを特徴とする請求項１〜４のいずれか１項に記載の燃料電池。
【請求項６】
複数の前記燃料電池セルの燃料ガス供給側から燃料ガス排出側に備えられた前記露出面が、燃料電池の外周部より中央部を大きく形成していることを特徴とする請求項１〜５のいずれか１項に記載の燃料電池。
【請求項７】
前記燃料ガス流路を流れる燃料ガスの温度を低下させる温度制御部を、前記燃料電池の中央部に備えていることを特徴とする請求項１〜６のいずれか１項に記載の燃料電池。
【請求項８】
前記燃料電池の発電室と燃焼室を区切る上部隔壁に燃料ガスを排出するための複数の排出孔が備えられており、前記複数の排出孔は、前記燃料ガスの圧力損失が前記燃料電池セルを軸方向から見た断面視の中央側でより小さくなるように形成されていることを特徴とする請求項１〜７のいずれか１項に記載の燃料電池。
【発明の詳細な説明】
【技術分野】
【０００１】
本発明は、固体酸化物形燃料電池に関し、さらに詳しくは筒状の燃料電池セルを複数で束ねた燃料電池に関する発明である。 
【背景技術】
【０００２】
従来の固体酸化物形燃料電池は、燃料電池セルの発生電圧が約１Ｖ弱であるので、高い電圧を得るため、複数の燃料電池セルを電気的に直列方向で接続して燃料電池を形成している。また大きな電流を得るためには電極面積を大きくするか、直列接続される導電部材の間にＮｉを主成分とする金属板で並列接続している。
【０００３】
複数の燃料電池セルを電気的に接続する構造は、燃料ガス濃度の高く発電反応の活発な燃料供給側で電気的に直列方向の接続をする導電部材の接続面積を減少するものが開示されている。（例えば、特許文献１参照。）
このような場合、実用的に高い発電効率で燃料電池を運転すると、約７０％以上の高燃料利用率で発電するため、燃料電池セルより排出される排燃料ガスと排空気の燃焼量が減少し、燃焼室では約６００〜８００℃の低い平均温度になる。このとき、低い燃焼室の温度の影響を受けて燃料ガス排出側の燃料電池セルも温度低下を生じ、燃料ガス供給側と燃料ガス排出側における燃料電池セルの軸方向の温度分布を十分に均一化できないため、燃料電池セルの発電性能にバラツキを大きく生じる。また、複数の燃料電池セルは、軸方向と垂直な平面方向において燃料電池セルの配置による放熱量や隣り合う燃料電池セルの軸方向における温度分布に影響して温度分布が不均一になるため、複数の燃料電池セルは熱応力等による破損を生じたり、発電性能にバラツキを大きく生じるとう問題があった。
【０００４】
他の複数の燃料電池セルを電気的に接続する接続構造は、製造におけるセラミックの曲がりを抑制して出力を大きくするため、電気的な並列方向で多孔質支持体により数箇所を接続しているのも開示されている。（例えば、特許文献２参照。）
しかし、この場合も直列方向では電流の取り出しにより電子の移動が集中することよる抵抗での熱や電極反応による熱を、導電部材と燃料電池セルとの接続面で蓄積して発散させることができないため、燃料電池セルの局部的な温度上昇を抑制できないという問題があった。
【０００５】
また、他の複数の燃料電池セルを電気的に接続する接続構造は、電気的な並列方向の接続が集電板を分割して接続されているものも開示されている。（例えば、特許文献３参照。）
しかし、この場合も直列方向では電流の取り出しにより電子の移動が集中することよる抵抗での熱や電極反応による熱を、導電部材と燃料電池セルとの接続面で蓄積して発散させることができないため、燃料電池セルの局部的な温度上昇を抑制できないという問題があった。
【特許文献１】特開２００３−２８２１０３号公報（４項、図２）
【特許文献２】特開平４−２３７９６４号公報（２項、図２、図３）
【発明の開示】
【発明が解決しようとする課題】
【０００６】
本発明は、上記問題を解決するためになされたもので、その目的とするところは筒状の燃料電池セルの温度分布を均一化し、複数の燃料電池セルが効率良く発電できる、実用的で安全かつ高効率な燃料電池を提供することにある。
【課題を解決するための手段】
【０００７】
上記目的を達成するために請求項１記載の発明は、複数の筒状の燃料電池セルと、前記燃料電池セルの軸方向に沿って電気的な直列方向を接続する導電部材と、前記燃料電池セルの周囲へ燃料ガスを流す燃料ガス流路と、を備えてなる燃料電池であって、燃料ガス排出側に前記燃料電池セルの露出面を形成していることを特徴とする。
【０００８】
これによって、燃焼室の温度の影響を受けやすい燃料ガス排出側では、導電部材の断面積が減少し、燃料ガス速度が遅くなり単位時間当たりの燃料電池セルへの熱伝達量を増加できる。また、温度伝導性に優れる水素を含む燃料ガスが、導電部材を介さずに燃料ガスの密度が高く発電反応の活発な燃料ガス供給側で発電反応により発生した熱を燃料電池セルの露出面へ直接伝達できるため、燃料電池セルの燃料ガス排出側の温度低下を抑制できる。したがって、燃料電池セルの軸方向における温度分布のバラツキを少なくできるため、燃料電池セルの発電反応を促進して高効率な発電性能を維持できる。また、複数の燃料電池セルの軸方向と垂直な平面方向においても隣り合う燃料電池セルの温度分布のバラツキを少なくできるため、熱応力等による燃料電池セルの破損を抑制でき、燃料電池は実用的で安全かつ高効率な発電性能を得ることができる。
【０００９】
請求項２の発明は、前記露出面を燃料ガス供給側に備えていることを特徴とする。
【００１０】
これによって、燃料ガスの密度が高く発電反応の活発になる燃料ガス供給側では、直列方向での電流の取り出しにより電子の移動が集中することよる抵抗での熱や電極反応による熱を、燃料電池セルの導電部材の接続面に蓄積せず、温度伝導性に優れる水素を含む燃料ガスにより効果的に放熱できるため、燃料電池セルの局部的な温度上昇を抑制できる。また、燃料電池セルの発電反応表面を直接冷却する面積が増加し、燃料ガスによる放熱量を多くできるため、空気利用率を３０％以上にして空気量を減少し、空気供給用ブロワーの小型化や燃焼室の温度上昇による熱利用設備による高効率なコジェネレーションシステムを構成することが容易になる。
【００１１】
請求項３の発明は、燃料ガス供給側より燃料ガス排出側が大きい前記燃料ガス流路を形成していることを特徴とする。
【００１２】
これによって、燃料ガス供給側より燃料ガス排出側の燃料ガスの流速を遅くできるため、燃料ガスが燃料電池セルに接触する時間を燃料ガス供給側で短く燃料ガス排出側で長くすることができる。また、燃料ガス供給側では燃料電池セルへ達する単位時間あたりの燃料ガスの量が減少して発電反応を抑えられ、燃料ガス排出側では逆に燃料電池セルへ達する単位時間あたりの燃料ガスの量が増加して燃料電池セルの加熱量と発電反応を促進できる。したがって、燃料電池セルの軸方向における温度分布のバラツキを少なくできるため、燃料電池セルの発電反応を促進できる。また、複数の燃料電池セルの軸方向と垂直な平面方向においても隣り合う燃料電池セルの温度分布のバラツキを少なくできるため、熱応力等による燃料電池セルの破損を抑制でき、燃料電池は実用的で安全かつ高効率な発電性能を得ることができる。
【００１３】
請求項４の発明は、燃料ガス供給側において複数の前記燃料電池セルの中央部へメタン系炭化水素を含む燃料ガスが運転中に増やせる流量制御部を備えていることを特徴とする。
【００１４】
これによって、燃料ガス供給側において複数の燃料電池セルの中央部では、メタン系炭化水素と燃料電池セルの表面における燃料極のニッケル粒子との燃料改質による吸熱反応で燃料電池セルの表面温度が下げられることにより、放熱量が少ない燃料電池セルの発電反応を抑制することができる。また、燃料ガス供給側では改質された燃料ガスがボリュームを増し、燃料ガス排出側での燃料ガスの密度が増して発電反応を促進し、燃料ガス排出側での温度低下を抑制することができる。したがって、燃料電池セルの軸方向における温度分布のバラツキを少なくできるため、燃料電池セルの発電反応を促進できる。また、複数の燃料電池セルの軸方向と垂直な平面方向においても隣り合う燃料電池セルの温度分布のバラツキを少なくできるため、熱応力等による燃料電池セルの破損を抑制でき、燃料電池は実用的で安全かつ高効率な発電性能を得ることができる。
【００１５】
請求項５の発明は、複数の前記燃料電池セルの外周部より中央部へ供給する燃料ガスの温度を低くする温度制御部を備えていることを特徴とする。
【００１６】
これによって、燃料ガス供給側において複数の燃料電池セルの中央部では、温度が低く密度の高い燃料ガスにより燃料電池セルを冷却できるため、放熱量が少ない複数の燃料電池セルの中央部での発電反応を抑制することができる。また、燃料ガス供給側では外周部より中央部へ多く燃料ガスが多く供給され、燃料電池セルへ伝達する熱を増加して燃料ガス排出側での温度低下を抑制することができる。したがって、燃料電池セルの軸方向における温度分布のバラツキを少なくできるため、燃料電池セルの発電反応を促進できる。また、複数の燃料電池セルの軸方向と垂直な平面方向においても隣り合う燃料電池セルの温度分布のバラツキを少なくできるため、燃料電池セルの発電反応を促進できる。また、複数の燃料電池セルの軸方向と垂直な平面方向においても隣り合う燃料電池セルの温度分布のバラツキを少なくできるため、熱応力等による燃料電池セルの破損を抑制でき、燃料電池は実用的で安全かつ高効率な発電性能を得ることができる。
【００１７】
請求項６の発明は、複数の前記燃料電池セルの燃料ガス供給側から燃料ガス排出側に備えられた前記露出面が、燃料電池の外周部より中央部を大きく形成していることを特徴とする。
【００１８】
これによって、燃料ガス供給側では、燃料電池の中央部から周囲へ向かうにつれて順に燃料電池セルに形成される露出面による放熱量を小さくでき、複数の燃料電池セルの放熱量を均一にできるため、燃料電池の中央から周囲に向かって複数の燃料電池セルにおける温度分布のバラツキを少なくできる。また、燃料ガス排出側では燃料電池の中央部から周囲へ向かうにつれて順に燃料電池セルに形成される露出面による加熱量を増加できる。したがって、燃料電池セルの軸方向における温度分布のバラツキを少なくできるため、燃料電池セルの発電反応を促進して高効率な発電性能を維持できる。また、複数の燃料電池セルの軸方向と垂直な平面方向においても隣り合う燃料電池セルの温度分布のバラツキを少なくできるため、熱応力等による燃料電池セルの破損を抑制でき、燃料電池は実用的で安全かつ高効率な発電性能を得ることができる。
【００１９】
請求項７の発明は、前記燃料ガス流路を流れる燃料ガスの温度を低下させる温度制御部を、前記燃料電池の中央部に備えていることを特徴とする。これによって、燃料ガス供給側では、燃料電池の中央部における燃料ガス流路の温度を低下させ、質量流量を増加させて燃料ガスを流れやすくできるため、燃料電池セルの表面温度が下げられることにより、放熱量が少ない燃料電池の中央部の発電反応を抑制することができる。また、燃料ガス排出側では、燃料ガス供給側の燃料電池の中央部における燃料ガスがボリュームを増し、燃料電池の中央部における燃料ガスの密度が増して発電反応を促進し、燃料ガス排出側での温度低下を抑制することができる。したがって、燃料電池セルの軸方向における温度分布のバラツキを少なくできるため、燃料電池セルの発電反応を促進できる。また、複数の燃料電池セルの軸方向と垂直な平面方向においても隣り合う燃料電池セルの温度分布のバラツキを少なくできるため、熱応力等による燃料電池セルの破損を抑制でき、燃料電池は実用的で安全かつ高効率な発電性能を得ることができる。
【００２０】
請求項８の発明は、前記燃料電池の発電室と燃焼室を区切る上部隔壁に燃料ガスを排出するための複数の排出孔が備えられており、前記複数の排出孔は、前記燃料ガスの圧力損失が前記燃料電池セルを軸方向から見た断面視の中央側でより小さくなるように形成されていることを特徴とする。これによって、燃料電池の中央側に向かうつれて燃料ガスが流れやすくなり、燃料ガスが燃料電池セルから熱を奪うことによって燃料電池の中央側の燃料電池セルで、より表面温度を下げることができ、結果として燃料電池の中央側での発電反応が抑制される。また、燃料ガス排出側では、燃料ガス供給側の燃料電池の中央部における燃料ガスがボリュームを増し、燃料電池の中央部における燃料ガスの密度が増して発電反応を促進し、燃料ガス排出側での温度低下を抑制することができる。したがって、燃料電池セルの軸方向における温度分布のバラツキを少なくできるため、燃料電池セルの発電反応を促進できる。また、複数の燃料電池セルの軸方向と垂直な平面方向においても隣り合う燃料電池セルの温度分布のバラツキを少なくできるため、熱応力等による燃料電池セルの破損を抑制でき、燃料電池は実用的で安全かつ高効率な発電性能を得ることができる。
【発明の効果】
【００２１】
本発明によれば、筒状の燃料電池セルを複数で束ねた燃料電池において、筒状の燃料電池セルの温度分布を均一化し、複数の燃料電池セルが効率良く発電でき、実用的で安全かつ高効率な燃料電池を形成することができる。
【発明を実施するための最良の形態】
【００２２】
以下、本発明の好適な実施形態について図面を参照して具体的かつ詳細に説明を行う。図１は本発明の一実施形態を示す片側先端が密封された固体酸化物形燃料電池の概略図である。これより説明する燃料ガス排出側と燃料ガス供給側とは、筒状固体酸化物形燃料電池セル（以下、燃料電池セルという）１の外側電極の長さＬに対して上方の約１／２Ｌの領域が燃料ガス排出側１７であり、下方の約１／２Ｌの領域が燃料ガス供給側１８である。燃料電池容器６の中に、導電部材２に間隔を設けて燃料ガス排出側１７で形成する燃料電池セル１の露出面３を備えた燃料電池セル１と、燃料電池セル１の電気的な直列方向を接続する導電部材２と、燃料電池セル１の端部を接続する集電部材４と、断熱材５と、矢印のように燃料ガスが流れる通気孔（図示しない）を有する下部隔壁９と、上部隔壁１１と、酸化剤導入管１４を備えた酸化剤分配器１３が収納されている。また、燃料電池セル１は上部隔壁１１を貫通し、貫通部は非気密構造を形成している。このとき、導電部材２と集電部材４はＮｉを主成分とする金属材料による金属繊維や金属板で、断熱材５はアルミナを主成分とする耐熱ボードで、燃料電池容器６は耐熱ステンレス鋼やインコネル等で、下部隔壁９と上部隔壁１１は通気性を有するセラミック系耐熱ボードや通気孔を有する耐熱ステンレス鋼、インコネル等で、それぞれ形成することができる。
【００２３】
図２は図１のａ−ａ断面図、図３は図１のｂ−ｂ断面図である。図２は燃料電池容器６の中に、燃料電池セル１と、集電部材４と、断熱材５と、が配置されて燃料ガス流路１９を形成している。また、燃料ガス排出側１７で導電部材２に間隔を設けて露出面３を形成している。図３は燃料電池容器６の中に、燃料電池セル１と、電気的な直列方向で燃料電池セル１を接続する導電部材２と、集電部材４と、断熱材５と、が配置されて燃料ガス流路１９を形成している。
【００２４】
図４は導電部材２に間隔を設けて接続した燃料電池セル１の概略図である。露出面３は、燃料電池セル１の電気的な直列方向に位置する面で形成されている。燃料電池セル１は、筒状の電解質２１の内面に空気極２０を、外面に燃料極２２が形成されており、空気極２０へ電気的に接続されたインターコネクタ２３が燃料極２２と通電せず電気的に接続される構造により形成されている。このとき、空気極２０は多孔質のＬａＣｏＯ３、ＬａＭｎＯ３、ＬａＦｅＯ３等のペロブスカイト型酸化物でＳｒやＣａ等をＬａサイトにドープしたもの、ドープしないもの、あるいはそれらの複合材により形成されている。電解質２１は、ＹＳＺにより形成されている。燃料極２２は、多孔質のニッケルとＹＳＺのサーメットにより形成されている。インターコネクタ２３はＬａＣｒＯ３にＳｒやＣａ等をドープしたものにより形成されている。
【００２５】
次に、このように構成された筒状の固体酸化物形燃料電池の動作について説明する。燃料ガスは燃料供給管７と燃料ガス分散室８を介して発電室１０へ流れ、燃料電池セル１の外側の燃料ガス流路１９へ流れて燃料極２２に供給され、また、空気は酸化剤供給管１２と酸化剤分配器１３と酸化剤導入管１４を介して発電室１０へ流れ、燃料電池セル１の内側の先端内部より空気極２０に供給されると、電解質２１の両側で電気化学反応が起こり、電力と熱と水を発生する。この反応は水の電気化学反応の逆反応である。反応済みの排燃料ガスは上部隔壁１１の排出孔（図示しない）を介して燃焼室１５に排出される。一方反応済みの排空気は燃料電池セル１の上方端から燃焼室１５に排出される。燃焼室１５では排燃料ガスに含まれる残留燃料ガスと排空気に含まれる残留酸素が混合して燃焼し、燃焼ガスは排ガスダクト１６を通じて排出される。燃料ガス排出側１７では、導電部材２が燃料電池セル１の露出面３を形成していることにより、導電部材２の断面積が減少して燃料ガス流路１９を大きくし、燃料ガス速度が遅くなり単位時間当たりの熱伝達量が増加できると共に、燃料ガスの密度が高く発電反応の活発になる燃料ガス供給側１８で発電反応により発生した熱を温度伝導性に優れる水素を含む燃料ガスが、導電部材２を介さずに導電部材２の燃料電池セル１の露出面３へ直接伝達できる。これにより、実用的な約７０％以上の高い燃料利用率で運転し、燃料電池セル１より排出される排燃料ガスの量が減り、排空気との燃焼量が低下し、燃焼室１５が約６００〜８００℃の低い温度となっても、燃料ガス排出側１７では燃焼室１５の影響を受けにくくなり、燃料電池セル１の燃料ガス排出側１７の温度低下を抑制できる。したがって、燃料電池セル１の軸方向における温度分布のバラツキを少なくできるため、燃料電池セル１の発電反応を促進して高効率な発電性能を維持できる。また、複数の燃料電池セル１の軸方向と垂直な平面方向においても隣り合う燃料電池セル１の温度分布のバラツキを少なくできるため、熱応力等による燃料電池セル１の破損を抑制でき、燃料電池は実用的で安全かつ高効率な発電性能を得ることができる。
【００２６】
図５は本発明の他の実施形態を示す両端が開放された固体酸化物形燃料電池の概略図である。燃料電池容器６の中に、酸化剤分配器１３と燃料電池セル接続部２４で接続され、さらに、導電部材２に間隔を設けて燃料ガス排出側１７および燃料ガス供給側１８で形成する燃料電池セル１の露出面３を備えた燃料電池セル１と、燃料電池セル１の電気的な直列方向を接続する導電部材２と、燃料電池セル１の端部を接続する集電部材４と、断熱材５と、矢印のように燃料ガスが流れる通気孔（図示しない）を有する下部隔壁９と、上部隔壁１１と、酸化剤分配器１３が収納されている。燃料電池セル１は下部隔壁９では接合部２４によりジルコニア系の接合剤で接合して気密構造を形成し、この気密構造を維持するため下部隔壁９の上方には断熱材５などによる伝熱遮蔽手段を形成すると共に、燃料電池セル１の約１０．５×１０-6（ｃｍ／ｃｍ・Ｋ-1）の熱膨張係数に近い、約８〜１３×１０-6（ｃｍ／ｃｍ・Ｋ-1）の熱膨張係数の耐熱金属で形成している。また、上部隔壁１１では貫通され、貫通部は非気密構造を形成している。
【００２７】
次に、このように構成された筒状の固体酸化物形燃料電池の動作について説明する。燃料ガスは燃料供給管７と燃料ガス分散室８を介して発電室１０へ流れ、燃料電池セル１の外側の燃料ガス流路１９へ流れて燃料極２２に供給され、また、空気は酸化剤供給管１２と酸化剤分配器１３を介して発電室１０へ流れ、燃料電池セル１の内側より空気極２０に供給されると、電解質２１の両側で電気化学反応が起こり、電力と熱と水を発生する。
【００２８】
これによって、燃料ガス排出側１７では、導電部材２が燃料電池セル１の露出面３を形成していることにより、導電部材２の形成していた断面積を減少して燃料ガス流路１９が大きくなり、燃料ガス速度が遅くなって単位時間当たりの熱伝達量が増加できると共に、燃料ガスの密度が高く発電反応の活発になる燃料ガス供給側１８で発電反応により発生した熱を温度伝導性に優れる水素を含む燃料ガスが、導電部材２を介さずに導電部材２の燃料電池セル１の露出面３へ直接伝達できるため、燃料電池セル１の燃料ガス排出側１７の温度低下を抑制できる。また、燃料ガス供給側１８では、直列方向での電流の取り出しにより電子の移動が集中することよる抵抗での熱や電極反応による熱を燃料電池セル１の導電部材２の接続面に蓄積せず、温度伝導性に優れる水素を含む燃料ガスにより効果的に放熱できるため、局部的な温度上昇を抑制できる。したがって、燃料電池セル１の軸方向における温度分布のバラツキを少なくできるため、燃料電池セル１の発電反応を促進して高効率な発電性能を維持できる。また、複数の燃料電池セル１の軸方向と垂直な平面方向においても隣り合う燃料電池セル１の温度分布のバラツキを少なくできるため、熱応力等による燃料電池セル１の破損を抑制でき、燃料電池は実用的で安全かつ高効率な発電性能を得ることができる。さらに、燃料電池セル１の表面を直接冷却する面積が増加し、燃料ガスによる放熱量を多くできるため、空気利用率を３０％以上にして空気量を減少し、空気供給用ブロワーの小型化や燃焼室１５の温度上昇による熱利用設備による高効率なコジェネレーションシステムの構成を容易にできる。
【００２９】
図６は本発明の他の実施形態を示す固体酸化物形燃料電池セルの接続構成図であり、図７、８、９は図６のｃ−ｃ面、ｄ−ｄ面、ｅ−ｅ面における固体酸化物形燃料電池のそれそれの断面図である。図７のｃ−ｃ面の断面図は燃料電池容器４の中に、燃料電池セル１と、集電部材４と、断熱材５と、が配置されて燃料ガス流路１９を形成している。燃料ガス排出側１７で導電部材２に間隔を設けて露出面３を形成している。図８のｄ−ｄ面の断面図は燃料電池容器４の中に、燃料電池セル１と、電気的な直列方向で燃料電池セル１を接続する導電部材２と、集電部材４と、断熱材５と、が配置されて燃料ガス流路１９を形成している。図９のｅ−ｅ面の断面図は燃料電池容器６の中に、燃料電池セル１と、燃料ガス供給側１８で燃料ガス流路１９の断面積を小さくする導電板２５と、燃料電池セル１の端部を接続する集電部材４と、断熱材５と、が配置されて燃料ガス流路１９を形成している。このとき、燃料ガス流路１９はｅ−ｅ面、ｄ−ｄ面、ｃ−ｃ面の順に面積が大きくなっている。また、導電板２５はＮｉを主成分とする耐熱性金属により構成され、燃料ガス供給側１８における導電部材２の接続位置へ全面に形成している。
【００３０】
これによって、燃料ガス供給側１８より燃料ガス排出側１７の断面積を小さくして燃料ガスの流速を遅くできるため、燃料ガスが燃料電池セル１に接触する時間を燃料ガス供給側１８で短く燃料ガス排出側１７で長くすることができる。また、燃料ガス供給側１８では燃料電池セル１へ達する単位時間あたりの燃料ガスの量が減少して発電反応を抑えられると共に、Ｎｉを主成分とする導電板２５によって均熱化される。燃料ガス排出側１７では逆に燃料電池セル１へ達する単位時間あたりの燃料ガスの量が増加して燃料電池セル１の加熱量と発電反応を促進できる。したがって、燃料電池セル１の軸方向における温度分布のバラツキを少なくできるため、燃料電池セル１の発電反応を促進できる。また、複数の燃料電池セル１の軸方向と垂直な平面方向においても隣り合う燃料電池セル１の温度分布のバラツキを少なくできるため、熱応力等による燃料電池セル１の破損を抑制でき、燃料電池は実用的で安全かつ高効率な発電性能を得ることができる。
【００３１】
図１０は本発明の他の実施形態を示す固体酸化物形燃料電池の概略図であり、図１１は図１０の固体酸化物形燃料電池セルの上部から見た配置を説明する図である。燃料電池容器６の中に、導電部材２に間隔を設けて燃料ガス排出側１７で形成する燃料電池セル１の露出面３を備えた燃料電池セル１と、燃料電池セル１の電気的な直列方向を接続する導電部材２と、燃料電池セル１の端部を接続する集電部材４と、断熱材５と、矢印のように燃料ガスが流れる通気孔（図示しない）を有する下部隔壁９と、下部隔壁９の中央部近傍にメタン系炭化水素を含む燃料ガスが運転中に増やせる流量制御部であるバルブ２７を有する燃料ガス供給配管２６と、上部隔壁１１と、酸化剤分配器１３が収納され、燃料電池セル１は上部隔壁１１を貫通し、貫通部は非気密構造を形成している。
【００３２】
これによって、燃料電池の発電運転中に燃料ガス供給配管２５よりメタン系炭化水素と水蒸気の供給量を増加調整することにより、燃料ガス分散室８の上方より燃料ガス供給側１８から燃料ガス排出側１７において、燃料電池外周部２９に比べて燃料電池の放熱量が少なく温度が高くなる傾向にある燃料電池中央部２８では、メタン系炭化水素と燃料電池セル１の表面における燃料極２２のニッケル粒子との燃料改質による吸熱反応により燃料電池セル１の表面温度を下げることができ、放熱量が少ない燃料電池セル１の発電反応を抑制することができる。このとき、燃料ガス供給側１８では改質された燃料ガスがボリュームを増し、燃料ガス排出側１７での燃料ガスの密度が増して発電反応を促進し、燃料ガス排出側１７での温度低下を抑制することができる。したがって、燃料電池セル１の軸方向における温度分布のバラツキを少なくできるため、燃料電池セル１の発電反応を促進できる。また、複数の燃料電池セル１の軸方向と垂直な平面方向においても隣り合う燃料電池セル１の温度分布のバラツキを少なくできるため、熱応力等による燃料電池セル１の破損を抑制でき、燃料電池は実用的で安全かつ高効率な発電性能を得ることができる。
【００３３】
図１２は本発明の他の実施形態を示す固体酸化物形燃料電池の概略図であり、図１３は図１２の固体酸化物形燃料電池セルの上部から見た配置を説明する図である。燃料電池容器６の中に、導電部材２に間隔を設けて燃料ガス排出側１７で形成する燃料電池セル１の露出面３を備えた燃料電池セル１と、燃料電池セル１の電気的な直列方向を接続する導電部材２と、燃料電池セル１の端部を接続する集電部材４と、断熱材５と、矢印のように燃料ガスが流れる通気孔（図示しない）を有する下部隔壁９と、燃料電池中央部２８の燃料ガス分散室８の底面に配置された温度制御部３０と、上部隔壁１１と、酸化剤分配器１３が収納され、燃料電池セル１は上部隔壁１１を貫通し、貫通部は非気密構造を形成している。
【００３４】
これによって、燃料電池の発電運転中に温度制御部３０で燃料ガスを冷却することにより、燃料ガス分散室８の上方より燃料ガス供給側１８において、燃料電池外周部２９に比べて燃料電池の放熱量が少なく温度が高くなる傾向にある燃料電池中央部２８では、温度が低く密度の高い燃料ガスにより燃料電池セル１を冷却できるため、放熱量が少ない複数の燃料電池セル１の中央部での発電反応を抑制することができる。また、燃料ガス供給側１８では燃料電池外周部２９より燃料電池中央部２８へ多く燃料ガスが多く供給され、燃料電池セル１へ伝達する熱を増加して燃料ガス排出側１７での温度低下を抑制することができる。したがって、燃料電池セル１の軸方向における温度分布のバラツキを少なくできるため、燃料電池セル１の発電反応を促進できる。また、複数の燃料電池セル１の軸方向と垂直な平面方向においても隣り合う燃料電池セル１の温度分布のバラツキを少なくできるため、熱応力等による燃料電池セル１の破損を抑制でき、燃料電池は実用的で安全かつ高効率な発電性能を得ることができる。
【００３５】
図１４は本発明の他の実施形態を示す固体酸化物形燃料電池セルを上部から見た配置を説明する図であり、図１５は図１４の配置別の固体酸化物形燃料電池セルと導電部材に間隔を設けて形成する露出面を示す説明図ある。燃料ガス供給側１８から燃料ガス排出側１７において、露出面３が最も大きく形成される燃料電池セル３１を配置し、その周囲へその次に露出面３が大きく形成される燃料電池セル３２を配置し、さらに、その周囲へ最も露出面３が小さく形成される燃料電池セル３３を配置している。
【００３６】
これによって、燃料ガス供給側１８では、複数の燃料電池セル１に形成される中央の燃料電池セル３１から燃料電池セル３２、燃料電池セル３３と、周囲へ向かうにつれて順に露出面３による放熱量を小さくでき、燃料電池の中央から周囲に向かって複数の燃料電池セル１における温度分布のバラツキを少なくできる。また、燃料ガス排出側１７では複数の燃料電池セル１に形成される中央の燃料電池セル３１から燃料電池セル３２、燃料電池セル３３と、周囲へ向かうにつれて順に、導電部材２の断面積が減少して燃料ガス流路１９を大きくし、燃料ガス速度が遅くなり単位時間当たりの熱伝達量と、燃料ガスの密度が高く発電反応の活発になる燃料ガス供給側１８で発電反応により発生した熱を温度伝導性に優れる水素を含む燃料ガスが、導電部材２を介さずに導電部材２の燃料電池セル１の露出面３へ直接伝達できる加熱量と、を増加できる。したがって、燃料電池セル１の軸方向における温度分布のバラツキを少なくできるため、燃料電池セル１の発電反応を促進して高効率な発電性能を維持できる。また、複数の燃料電池セル１の軸方向と垂直な平面方向においても隣り合う燃料電池セル１の温度分布のバラツキを少なくできるため、熱応力等による燃料電池セル１の破損を抑制でき、燃料電池は実用的で安全かつ高効率な発電性能を得ることができる。
【００３７】
図１６は本発明の他の実施形態を示す片側先端が密封された固体酸化物形燃料電池の概略図であり、図１７は図１６の固体酸化物形燃料電池セルと冷却ガス供給管を上部から見た配置を説明する図である。燃料電池容器６の中に、導電部材２に間隔を設けて燃料ガス排出側１７で形成する燃料電池セル１の露出面３を備えた燃料電池セル１と、燃料電池セル１の電気的な直列方向を接続する導電部材２と、燃料電池セル１の端部を接続する集電部材４と、断熱材５と、矢印のように燃料ガスが流れる通気孔（図示しない）を有する下部隔壁９と、上部隔壁１１と、酸化剤導入管１４を備えた酸化剤分配器１３と、冷却ガス供給管３４を備えた温度制御部３５が収納されている。燃料電池セル１は上部隔壁１１を貫通し、貫通部は非気密構造を形成している。冷却ガス供給管３４は下部隔壁９と上部隔壁１１を貫通し、貫通部は非気密構造を形成している。このとき、導電部材２と集電部材４はＮｉを主成分とする金属材料による金属繊維や金属板で、断熱材５はアルミナを主成分とする耐熱ボードで、燃料電池容器６は耐熱ステンレス鋼やインコネル等で、下部隔壁９と上部隔壁１１は通気性を有するセラミック系耐熱ボードや通気孔を有する耐熱ステンレス鋼、インコネル等で、それぞれ形成することができる。
【００３８】
空気等の冷却ガスを冷却ガス供給管３４へ供給することにより、燃料電池中央部２８の周囲へ配置される冷却ガス供給管３４と燃料ガスと燃料電池セル１の熱交換により、燃料電池セルを冷却することができる。これにより、燃料ガス供給側１８では、燃料電池中央部２８における燃料ガス流路の温度を低下させ、密度を増して燃料ガスを流れやすくできるため、燃料電池の放熱量が少なく温度が高くなる燃料電池中央部２８の発電反応を抑制することができる。また、燃料ガス排出側１７では、燃料ガス供給側１８の燃料電池中央部２８における燃料ガスがボリュームを増し、燃料電池中央部２８における燃料ガス流路を流れる燃料ガスの密度が高くなるため、燃料電池セル１へ伝達する熱を増加して発電反応を促進し、燃料ガス排出側１７での温度低下を抑制することができる。したがって、燃料電池セル１の軸方向における温度分布のバラツキを少なくできるため、燃料電池セル１の発電反応を促進できる。また、複数の燃料電池セル１の軸方向と垂直な平面方向においても隣り合う燃料電池セル１の温度分布のバラツキを少なくできるため、熱応力等による燃料電池セル１の破損を抑制でき、燃料電池は実用的で安全かつ高効率な発電性能を得ることができる。
【００３９】
図１８は本発明の他の実施形態を示す固体酸化物形燃料電池の燃料ガス排出側に形成される上部隔壁を軸方向から見た排燃料ガスの排出孔と、燃料電池セルの配置を説明する図である。図１８は、直列に接続された複数の燃料電池セル１における中央側の中央排出孔３６が周囲の周囲排出孔３７より大きく形成されている。（このとき、ここで示す中央側とは、矢印の示す燃料電池の中央部を表す）
【００４０】
これによって、上部隔壁より排出される排燃料ガスの圧力損失が燃料電池の中央側でより小さくできることにより、燃料電池の中央側における燃料ガス流路へ向かうにつれ、燃料ガスを流れやすくすることができるため、燃料電池セル１の表面温度が下げられることにより、放熱量が少ない燃料電池の中央部の発電反応を抑制することができる。また、燃料ガス供給側の燃料電池の中央部における燃料ガスがボリュームを増し、燃料ガス排出側の燃料電池の中央部における燃料ガスの密度が増して発電反応を促進し、燃料ガス排出側での温度低下を抑制することができる。したがって、燃料電池セルの軸方向における温度分布のバラツキを少なくできるため、燃料電池セルの発電反応を促進できる。また、複数の燃料電池セルの軸方向と垂直な平面方向においても隣り合う燃料電池セルの温度分布のバラツキを少なくできるため、熱応力等による燃料電池セルの破損を抑制でき、燃料電池は実用的で安全かつ高効率な発電性能を得ることができる。
【００４１】
また、図１８に示す燃料電池は中心側の隣り合う燃料電池セル１の間隔Ｂより周囲の隣り合う燃料電池セル１の間隔Ａを狭く形成している。
【００４２】
これによって、周囲より中央側の燃料ガス流路の流速を低下させ、より中央側の燃料ガス流路へ流れる燃料ガスの圧力損失を小さくして燃料ガスを流れやすくできるため、燃料電池セル１の表面温度が下げられることにより、放熱量が少ない燃料電池の中央部の発電反応を抑制することができる。また、燃料ガス供給側の燃料電池の中央部における燃料ガスがボリュームを増し、燃料ガス排出側の燃料電池の中央部における燃料ガスの密度が増して発電反応を促進し、燃料ガス排出側での温度低下を抑制することができる。したがって、燃料電池セルの軸方向における温度分布のバラツキを少なくできるため、燃料電池セルの発電反応を促進できる。また、複数の燃料電池セルの軸方向と垂直な平面方向においても隣り合う燃料電池セルの温度分布のバラツキを少なくできるため、熱応力等による燃料電池セルの破損を抑制でき、燃料電池は実用的で安全かつ高効率な発電性能を得ることができる。
【００４３】
なお、前述の実施形態にかかわらず、導電部材２に酸化インジウム等の材料を用いることにより、燃料ガスが燃料電池セル１の内側を流れ、酸化剤ガスが燃料電池セル１の外側に流れるように構成し、燃料ガスと酸化剤ガスを入れ替えて燃料電池セル１を同様に構成することもできる。
【実施例】
【００４４】
本発明を以下の実施例によりさらに詳細に説明するが、本発明はこれら実施例に限定さされるものではない。図１９は、本発明の実施例および比較例に示す固体酸化物形燃料電池の燃料電池セルの配置と、実施例２に示す排燃料ガスの排出孔とセルの配置とを説明する図である。
【００４５】
（実施例１）
燃料電池セル１として、外径約１６．０ｍｍ、長さ６６０ｍｍ、燃料極長さ約５８０ｍｍ（燃料極面積２００ｃｍ２）よりなり、電気的な直列方向および並列の接続面にニッケル金属膜を形成したものを準備した。
【００４６】
次に、幅８ｍｍ、長さ８５ｍｍのニッケルフェルト３８と燃料電池セル１との接続表面にアクリル系の粘着剤を塗布し、燃料電池セル１の直列方向となるインターコネクタ側と燃料極へ、隣り合うニッケルフェルト３８を一定間隔で６ヶ配置し、ニッケルフェルト３８の間にそれぞれ約１２ｍｍの燃料電池セル１の露出面を形成した。
【００４７】
この処理を施した燃料電池セル１を１２ヶ準備し、図１９のように、１段当たり２列の燃料電池セル１と、ニッケル板３９（長さ５８０ｍｍ、厚さ０．２ｍｍ）を交互に積上げた。これらの燃料電池セル１の開口端周辺をアルミナ系のセラミック繊維の上部隔壁を形成し、燃料電池セル１の外側に水素による還元雰囲気、燃料電池セル１の内側を空気による酸化雰囲気より、約９００〜９５０度で焼成して隣り合うセルの間隔が約２０．８ｍｍからなる２並列６直列の燃料電池セル１の集合体（以下、燃料電池スタックという）を製作した。
【００４８】
この燃料電池スタックの開口端に厚さ約５０ｍｍのアルミナ系のセラミック繊維からなる上部隔壁を形成し、以下の発電条件により発電試験を行った。
燃料ガス  ：Ｈ２＋Ｈ２Ｏ（３％Ｈ２）＋Ｎ２（５ｓｌｍ）
酸化剤    ：Ａｉｒ
発電温度  ：９００℃
空気利用率：１３％
燃料利用率：７５％
電流密度  ：０．２Ａ／ｃｍ２
【００４９】
この結果、燃料電池セル１の最大・最小・平均の各出力密度はそれぞれ０．１３７Ｗ／ｃｍ２、０．１３３Ｗ／ｃｍ２、０．１３５Ｗ／ｃｍ２となった。
【００５０】
（実施例２）
実施例１と同様の燃料電池スタックを製作し、この燃料電池スタックの開口端に図１９に示す位置に外径３．０×内径２．０ｍｍの排出孔４２を設けた厚さ約５０ｍｍのアルミナ系のセラミック繊維からなる上部隔壁を形成し、実施例１と同じ発電条件により発電試験を行った。
【００５１】
この結果、燃料電池セル１の最大・最小・平均の各出力密度はそれぞれ０．１４３Ｗ／ｃｍ２、０．１３９Ｗ／ｃｍ２、０．１４１Ｗ／ｃｍ２となった。
【００５２】
（比較例１）
実施例１、２と同様の燃料電池セル１を準備し、次に、幅８ｍｍ、長さ９６ｍｍのニッケルフェルト３８と燃料電池セル１との接続表面にアクリル系の粘着剤を塗布し、燃料電池セル１の直列方向となるインターコネクタ側と燃料極へ、隣り合うニッケルフェルト３８の間隔を設けず６ヶ配置し、ニッケルフェルト３８を連続して形成した。
【００５３】
この処理を施した燃料電池セル１を１２ヶ準備し、実施例１、２と同様に、隣り合うセルの間隔が約２０．８ｍｍからなる２並列６直列の燃料電池スタックを製作した。
【００５４】
この燃料電池スタックの開口端に厚さ約５０ｍｍのアルミナ系のセラミック繊維からなる上部隔壁を形成し、実施例１、２と同じ発電条件により発電試験を行った。
【００５５】
この結果、燃料電池セル１の最大・最小・平均の各出力密度はそれぞれ０．１３４Ｗ／ｃｍ２、０．１２３Ｗ／ｃｍ２、０．１２８Ｗ／ｃｍ２となった。
【００５６】
【表１】
2006066387.tif 000003
【図面の簡単な説明】
【００５７】
【図１】本発明の一実施形態を示す固体酸化物形燃料電池の概略図である。
【図２】図１のａ−ａ断面図である。
【図３】図１のｂ−ｂ断面図である。
【図４】導電部材２に間隔を設けて接続した燃料電池セル１の概略図である。
【図５】本発明の他の実施形態を示す固体酸化物形燃料電池の概略図である。
【図６】本発明の他の実施形態を示す固体酸化物形燃料電池セルの接続構成図である。
【図７】図６のｃ−ｃ面における固体酸化物形燃料電池の断面図である。
【図８】図６のｄ−ｄ面における固体酸化物形燃料電池の断面図である。
【図９】図６のｅ−ｅ面における固体酸化物形燃料電池の断面図である。
【図１０】本発明の他の実施形態を示す固体酸化物形燃料電池の概略図である。
【図１１】図１０の固体酸化物形燃料電池のセルと燃料ガス供給管の配置を説明する図である。
【図１２】本発明の他の実施形態を示す固体酸化物形燃料電池の概略図である。
【図１３】図１２の固体酸化物形燃料電池のセルと温度制御部の配置を説明する図である。
【図１４】本発明の他の実施形態を示す固体酸化物形燃料電池セルの配置を説明する図である。
【図１５】図１４に示すの配置の固体酸化物形燃料電池セルのそれぞれの露出面の大きさを示す図である。
【図１６】本発明の他の実施形態を示す固体酸化物形燃料電池の概略図である。
【図１７】図１７は図１６の固体酸化物形燃料電池のセルと冷却ガス供給管の配置を説明する図である。
【図１８】本発明の他の実施形態を示す固体酸化物形燃料電池の上部隔壁をセルの軸方向から見た時の排燃料ガスの排出孔と、燃料電池セルの配置を説明する図である。
【図１９】実施例および比較例の固体酸化物形燃料電池の上部隔壁をセルの軸方向から見た時の排燃料ガスの排出孔と、燃料電池セルの配置を説明する図である。
【符号の説明】
【００５８】
１、３１、３２、３３…固体酸化物形燃料電池セル
２  …導電部材
３  …露出面
４、４３  …集電部材
５  …断熱材
６  …燃料電池容器
７、２６…燃料ガス供給管
８  …燃料ガス分散室
９  …下部隔壁
１０…発電室
１１…上部隔壁
１２…酸化剤供給管
１３…酸化剤分配器
１４…酸化剤導入管
１５…燃焼室
１６…排ガスダクト
１７…燃料ガス排出側
１８…燃料ガス供給側
１９、４０、４１…燃料ガス流路
２０…空気極
２１…電解質
２２…燃料極
２３…インターコネクタ
２４…燃料電池セル接続部
２５…導電板
２７…バルブ
２８…燃料電池中央部
２９…燃料電池外周部
３０、３５…温度制御部
３４…冷却ガス供給管
３６…中央排出孔
３７…周囲排出孔
３８…ニッケルフェルト
３９…ニッケル板
４２…排出孔
【図１】
2006066387.tif 000004
【図２】
2006066387.tif 000005
【図３】
2006066387.tif 000006
【図４】
2006066387.tif 000007
【図５】
2006066387.tif 000008
【図６】
2006066387.tif 000009
【図７】
2006066387.tif 000010
【図８】
2006066387.tif 000011
【図９】
2006066387.tif 000012
【図１０】
2006066387.tif 000013
【図１１】
2006066387.tif 000014
【図１２】
2006066387.tif 000015
【図１３】
2006066387.tif 000016
【図１４】
2006066387.tif 000017
【図１５】
2006066387.tif 000018
【図１６】
2006066387.tif 000019
【図１７】
2006066387.tif 000020
【図１８】
2006066387.tif 000021
【図１９】
2006066387.tif 000022